(57)【要約】【課題】本発明の課題は、原稿の搬送速度の変速可能な範囲を容易に広げることができる自動原稿搬送装置を得ることである。【解決手段】原稿テーブル３の原稿を読取位置に搬送した後に排紙する搬送ローラ１６、２１を有する搬送部Ｅを備えている自動原稿搬送装置１であって、互いに歯数が異なる複数の出力ギア４３、４４、４５、これらの出力ギアが取り付けられ、モータ４０からの駆動力により回転駆動する出力ギア軸４６、およびこの出力ギア軸４６を軸線方向に移動させる移動機構４７を有する出力部４１と、出力ギアに歯合する入力ギア５２、およびこの入力ギア５２が取り付けられているとともに、出力ギア軸４６と平行に配置された入力ギア軸５４とを有する入力部４２とを備えており、移動機構４７が、出力ギア軸４６を軸線方向に移動させて、入力ギア５２に歯合する出力ギアの切換を行う。【選択図】図４
2008207959.tif 000002
【特許請求の範囲】
【請求項１】
原稿載置部の原稿を読取位置に搬送した後に排紙する搬送ローラを有する搬送部と、この搬送部の搬送ローラを駆動する駆動部と、この駆動部からの駆動力を出力する出力部と、この出力部からの駆動力を搬送ローラに入力する入力部とを備えている自動原稿搬送装置であって、
出力部は、互いに歯数が異なる複数の出力ギアと、これらの出力ギアが取り付けられ、駆動部からの駆動力により回転駆動する出力ギア軸と、この出力ギア軸を軸線方向に移動させる移動機構とを備え、
入力部は、出力ギアに歯合する入力ギアと、この入力ギアが取り付けられているとともに、出力ギア軸と平行に配置された入力ギア軸とを備えており、
移動機構は、出力ギア軸を軸線方向に移動させて、入力ギアに歯合する出力ギアの切換を行うことを特徴とする自動原稿搬送装置。
【請求項２】
出力部は、移動機構により出力ギア軸を軸線方向に移動させたとき、出力ギア軸と入力ギア軸との軸間距離を調整する調整機構を備えていることを特徴とする請求項１に記載の自動原稿搬送装置。
【請求項３】
移動機構は、支点を中心に搖動自在に設けられているとともに、一端部が出力ギア軸に軸支された操作部材を備え、この操作部材の他端部を操作することにより出力ギア軸が軸線方向に移動することを特徴とする請求項１又は２に記載の自動原稿搬送装置。
【請求項４】
移動機構は、出力ギア軸に連結されて、出力ギア軸を軸線方向に移動させる駆動源を備えていることを特徴とする請求項１又は２に記載の自動原稿搬送装置。
【請求項５】
出力ギア及び出力ギア軸を収納するケースを備えていることを特徴とする請求項１〜４のいずれか一項に記載の自動原稿搬送装置。
【発明の詳細な説明】
【技術分野】
【０００１】
本発明は、複写機、プリンタ、ファクシミリ等の画像形成装置の本体に装着される自動原稿搬送装置に関する。
【背景技術】
【０００２】
一般に、シートスルー方式の自動原稿給紙装置（ＡＤＦ）は、画像形成装置本体側に設置された読取り手段に対して、原稿を一定の速度で搬送させて画像を読取っている。このようなＡＤＦにおいて、画像の変倍率に応じて原稿の送り速度を変化させる必要がある。一般的には駆動源となるモータの回転速度を制御することで、原稿の送り速度を調整する方法がとられている。
【０００３】
即ち、図９に示すように、ＡＤＦに搭載された駆動モータ１００は、モータ軸上に駆動プーリ１０１が設けられている。モータ１００の駆動力は、プーリ１０１からベルト１０２、１０４、１０８を介して、２段プーリ１０３から読取後ローラの同軸上に位置するプーリ１０５及びプーリ１０６と、読取前ローラと同軸上に位置するプーリ１０７に伝達され、原稿読取線速を発生させている。よって、モータ１００の仕様範囲内で可能な変速範囲内に限り、原稿搬送速度が変速可能になっている。
【０００４】
一方、原稿の搬送速度を切り換える切換機構としては、いわゆる並列式の駆動ギア切換機構、即ち、平行に配置された伝達軸にそれぞれ、互いに歯数の異なるギアを取り付け、これらの何れかのギアにモータの回転軸に設けられたギアを歯合させる方式の機構が知られている（例えば、特許文献１参照）。
【０００５】
【特許文献１】特開平３−０１６３６４号公報
【発明の開示】
【発明が解決しようとする課題】
【０００６】
しかしながら、特許文献１に記載の従来技術では、切り換えるギアを１つ増やすためには、新たに伝達軸を設けなければならず、スペース上の制約が大きいため、現実的には２つの歯数の異なるギアによる２段階が限界であり、変速可能な範囲が狭められていたという問題がある。
【０００７】
本発明は、原稿の搬送速度の変速可能な範囲を容易に広げることができる自動原稿搬送装置を得ることを目的とする。
【課題を解決するための手段】
【０００８】
前記課題を解決するために、請求項１に記載された発明は、原稿載置部の原稿を読取位置に搬送した後に排紙する搬送ローラを有する搬送部と、この搬送部の搬送ローラを駆動する駆動部と、この駆動部からの駆動力を出力する出力部と、この出力部からの駆動力を搬送ローラに入力する入力部とを備えている自動原稿搬送装置であって、出力部は、互いに歯数が異なる複数の出力ギアと、これらの出力ギアが取り付けられ、駆動部からの駆動力により回転駆動する出力ギア軸と、この出力ギア軸を軸線方向に移動させる移動機構とを備え、入力部は、出力ギアに歯合する入力ギアと、この入力ギアが取り付けられていると共に、出力ギア軸と平行に配置された入力ギア軸とを備えており、移動機構は、出力ギア軸を軸線方向に移動させて、入力ギアに歯合する出力ギアの切換を行うことを特徴とする。
【０００９】
請求項２に記載された発明は、請求項１に記載の発明において、出力部は、移動機構により出力ギア軸を軸線方向に移動させたとき、出力ギア軸と入力ギア軸との軸間距離を調整する調整機構を備えていることを特徴とする。
【００１０】
請求項３に記載された発明は、請求項１又は２に記載の発明において、移動機構は、支点を中心に搖動自在に設けられていると共に、一端部が出力ギア軸に軸支された操作部材を備え、この操作部材の他端部を操作することにより出力ギア軸が軸線方向に移動することを特徴とする。
【００１１】
請求項４に記載された発明は、請求項１又は２に記載の発明において、移動機構は、出力ギア軸に連結されて、出力ギア軸を軸線方向に移動させる駆動源を備えていることを特徴とする。
【００１２】
請求項５に記載された発明は、請求項１〜４の何れか一項に記載の発明において、出力ギア及び出力ギア軸を収納するケースを備えていることを特徴とする。
【発明の効果】
【００１３】
本発明によれば、互いに歯数の異なる複数のギアを伝達軸上に直列に配置させているので、並列式の駆動ギア切換機構に比べてスペース上の制約が少ないため、歯数の異なる新たなギアを容易に追加することができ、原稿の搬送速度の変速可能な範囲を容易に広げることができる。
【発明を実施するための最良の形態】
【００１４】
以下に、添付図面を参照して、本発明の実施の形態を詳細に説明する。以下、添付した図面を参照しながら本発明の実施の形態を詳細に説明する。図１は本発明の実施の形態に係る自動原稿搬送装置の全体を概略的に示す構成図、図２は本発明の自動原稿搬送装置における出力部及び入力部の構成を概略的に示す構成図、図３は図２の出力部及び入力部の平面図、図４は本発明の自動原稿搬送装置における出力部の動作を説明する図、図５は本発明の自動原稿搬送装置における調整機構の動作を説明する図、図６は本発明の自動原稿搬送装置における操作レバーの動作を説明する図、図７は本発明の自動原稿搬送装置におけるギアボックスユニットを示す図である。
【００１５】
自動原稿搬送装置１は、原稿束をセットする原稿セット部Ａと、セットされた原稿束から一枚毎に原稿を分離して給紙する分離給紙部Ｂと、給紙された原稿の先端を突き当てて原稿を整合させ、整合後の原稿を搬送するレジスト部Ｃと、搬送される原稿をターンさせて、原稿面を読取り側（下方）に向けて搬送するターン部Ｄと、原稿の表面画像を読取りガラスの下方に位置する原稿読取り装置（図示せず）に読取りを行わせる読取り搬送部（搬送部）Ｅと、読取り後の原稿の表裏を反転するためのスイッチバック部Ｆと、スイッチバック部Ｆでスイッチバックした原稿を再びレジスト部Ｃに戻すための中間搬送部Ｇ、読取り完了後の原稿を積載保持するスタック部Ｈを備えている。
【００１６】
原稿セット部Ａは、原稿束をセットする原稿テーブル（原稿載置部）３を備えており、セットした原稿束の幅方向はサイドガイド２で両側から規制している。原稿のセットは、原稿セットフィラー４及び原稿セットセンサ５により検知されており、原稿束が検知されると、原稿束の最上面がピックアップローラ７に接触するようになっている。そして、本体操作部によりプリントキーが押されると、本体制御部から原稿給紙信号が送信され、ピックアップローラ７が回転駆動し、原稿テーブル３上の原稿をピックアップするようになっている。
【００１７】
分離給紙部Ｂは、上述のピックアップローラ７と、原稿を一枚ずつ分離する分離ローラ９及びリバースローラとを備えている。分離ローラ９は、給紙方向と逆方向に回転駆動され、原稿束のうち最上部の原稿と、それ以外の原稿とを分離して最上部の原稿のみを給紙する構成となっている。リバースローラ１０は分離ローラ９に所定圧で接触している。そして分離ローラ９と直接接しているとき、又は原稿１枚分を介して接触している状態では、リバースローラ１０は分離ローラ９の回転に連れ回りして時計方向に回転して、余分な原稿を押し戻すように働き、重送を防止している。
【００１８】
原稿は、リバースローラ１０により分離されて分離ローラ９によって更に搬送され、レジスト部Ｃのプルアウトローラ１２まで搬送される。原稿はプルアウトローラ１２の上流側に配置された突当てセンサ１１の検知によって先端が検知され、突当てセンサから所定の距離だけ搬送される。そして、プルアウトローラ１２に原稿の先端が所定量の撓みをもって押し当てられた状態で、分離ローラ９の駆動が停止する。原稿の先端はプルアウトローラ１２のニップ部に進入し、先端の整合（スキュー補正）が行われる。
【００１９】
このプルアウトローラ１２の駆動により、レジスト部Ｃからターン部Ｄに原稿が搬送される際には、レジスト部Ｃでの原稿の搬送速度を読取搬送部Ｅでの搬送速度より高速に設定しており、処理時間の短縮化を図っている。原稿の先端が読取入口センサ１５により検出されると、原稿搬送速度を読取り搬送速度と同速にするために減速を開始すると同時に、読取搬送部Ｅの読取入口ローラ（搬送ローラ）１６及び読取出口ローラ（搬送ローラ）２１を駆動するようになっている。原稿の先端をレジストセンサ１７で検知すると、原稿先端が読取部１８に到達するタイミングで、本体制御部に対して画像面の幅走査方向の有効画像領域を示すゲート信号が読取部１８を原稿後端が抜けるまで送信される。
【００２０】
片面原稿読取りの場合には、切替爪３０は、図中実線で示す位置にあり、読取り搬送部Ｅを通過した原稿は、スタック部Ｈの排紙トレイ１９へ搬送される。この際、排紙センサ２２により原稿の先端が検知されると、読取出口ローラ２１を回転させる。また、排紙センサ２２により原稿の後端を検知し、原稿が読取出口ローラ２１のニップ部から抜ける直前に読取出口ローラ２１の回転駆動を減速させることで、排紙トレイ１９上に原稿が急に飛び出さないようにしている。
【００２１】
一方、両面原稿読取りの場合には、切換爪３０は、図中波線で示す位置にあり、読取り搬送部Ｅを通過した原稿は、スイッチバック部Ｆの反転ローラ３１に送り込まれた後、スイッチバックさせられて、中間搬送部Ｇを介して再びレジスト部Ｃに送られるようになっている。
【００２２】
次に、読取り搬送部Ｅについて説明する。図２及び図３に示すように、読取り搬送部Ｅは、上述の読取入口ローラ１６及び読取出口ローラ２１と、これらのローラ１６、２１を駆動する駆動部である駆動モータ４０と、駆動モータ４０の駆動力を出力する出力部４１と、この出力部４１からの駆動力を各ローラ１６、２１に入力する入力部４２とを備えている。
【００２３】
読取入口ローラ１６は、回転軸１６ａの略中央部に取り付けられており、この回転軸１６ａの一端部（図３において下端部）にはプーリ１６ｂが固定されている。また、読取出口ローラ２１は、回転軸２１ａの略中央部に取り付けられており、この回転軸２１ａの両端部にはそれぞれ、プーリ２１ｂ、２１ｃが取り付けられている。これらのプーリ２１ｂ、２１ｃのうち、回転軸２１ａの一端部（図３において下端部）のプーリ２１ｂと、回転軸１６ａのプーリ１６ｂとには、テンションローラ２０ａによって一定のテンションが付加された無端状ベルト２０が掛け渡されている。
【００２４】
出力部４１は、駆動モータ４０のモータ軸４０ａに設けられたモータギア４０ｂに歯合する複数の出力ギア（駆動ギア）４３、４４、４５と、これらのギア４３、４４、４５が取り付けられた出力ギア軸４６と、この出力ギア軸４６を軸線方向（スラスト方向）に移動させる移動機構４７（図６参照）と、この移動機構４７により出力ギア軸４６が軸線方向に移動したとき、出力ギア軸４６と後述する入力ギア軸５４との軸間距離を調整する調整機構４８（図５参照）とを備えている。
【００２５】
複数の出力ギア４３、４４、４５は、この順にその外径が小さくなっており、これらの出力ギア４３、４４、４５が出力ギア軸４６に互いに間隔をあけて直列に取り付けられて多段ギアを構成している。これらの出力ギア４３、４４、４５は、それぞれ互いに歯数が異なっており、モータギア４０ｂ及び入力ギア５２に対して歯合する出力ギア４３、４４、４５を切り換えることにより、ギア比が変更されるようになっている。尚、図２においては、出力ギア４３、４４、４５のうち、中央の出力ギア４４が入力ギア５２と歯合している状態を示しており、説明の便宜上、入力ギア５２に歯合している出力ギア４４を実線で示し、その他の出力ギア４３、４５は波線で示している。
【００２６】
また、本実施の形態では、図７に示すように、出力部４１のうち、少なくとも出力ギア軸４６及び出力ギア４３、４４、４５は、金属又は樹脂等のケース５０ａに収納されて、１つのギアボックスユニット５０として構成されている。出力ギア軸４６及び出力ギア４３、４４、４５をケース５０で囲むことにより、ここに発生する駆動音（騒音）を低減することができる。尚、このケース５０内に収納されるのは、出力ギア軸４６、出力ギア４３、４４、４５に限定されず、例えば、移動機構４７、調整機構４８等を更に収納するようにしても良く、ケース５０内に収納する部材類は適宜変更可能であることは言うまでもない。
【００２７】
移動機構４７は、図６に示すように、支点４９ａを中心に揺動自在に設けられていると共に、自動原稿搬送装置１の外部から操作可能な操作レバー（操作部材）４９を備えており、出力ギア軸４６を軸線方向に移動させて、入力ギア５２に歯合するギアを、出力ギア４３、４４、４５の何れかに切り換えるものである。この操作レバー４９の一端部は、出力ギア軸４６の出力ギア４３側の端部に回転自在に軸支され、操作レバー４９の他端部は外部に露出している。この操作レバー４９の他端部を矢印Ａ及びＢ方向に移動させて操作レバー４９を実線及び波線の位置に揺動させることにより、出力ギア軸４６が矢印Ｃ及びＤに示す軸線方向に移動される。即ち、操作レバー４９が実線で示す位置にあるときは、中央の出力ギア４４が入力ギア５２と歯合する位置にあり、この実線で示す位置にある操作レバー４９を矢印Ａ方向に揺動させると、出力ギア軸４６が矢印Ｄ方向に移動して出力ギア４３と入力ギア５２とが歯合し、操作レバー４９を矢印Ｂ方向に揺動させると、出力ギア軸４６が矢印Ｃ方向に移動して出力ギア４５と入力ギア５２とが歯合するようになっている。
【００２８】
調整機構４８は、図５に示すように、基端部がモータ軸４０ａに回動自在に軸支された略長方形板状の支持部材５１を備えており、この支持部材５１はスプリング等の付勢部材５１ｂにより、支持部材５１が入力ギア軸５４に近づく方向に付勢されている。この支持部材５１のモータ軸４０ａ側の面には、出力ギア軸４６の出力ギア４５側の端部が挿入可能な長穴５１ａが長手方向に延びて形成されている。この支持部材５１がモータ軸４０ａを中心に揺動すると、これに伴って、支持部材５１の長穴５１ａに挿入された出力ギア軸４６の端部が長穴５１ａに案内されて、この長穴５１ａに沿って移動されるようになっている。
【００２９】
即ち、図６に示す操作レバー４９が実線の位置にあるときにおいて、支持部材５１は図５（ｂ）に示す位置にあり、この状態では入力ギア５２には出力ギア４４が歯合している。この状態から、支持部材５１を図５（ａ）に示す位置に回動させると共に、操作レバー４９を図６の矢印Ａ方向に揺動させて、入力ギア５２に歯合するギアを出力ギア４３に切り換える。入力ギア５２に歯合するギアを出力ギア４５に切り換える際も同様に、支持部材５１を図５（ｃ）に示す位置に回動させると共に、操作レバー４９を図６の矢印Ｂ方向に揺動させることにより行う。尚、図５においては、説明の便宜上、入力ギア５２に歯合している出力ギア４３、４４、４５を実線で示し、その他の出力ギア４３、４４、４５は波線で示している。
【００３０】
入力部４２は、出力ギア４３、４４、４５の何れにも歯合可能な入力ギア５２と、この入力ギア５２よりも外径が小さいと共に、入力ギア５２と重なるように設けられた歯付きプーリ５３と、これらのギア５２及びプーリ５３が取り付けられている（軸支されている）と共に、出力ギア軸４６と平行に配置された入力ギア軸５４とを備えている。この入力ギア軸５４に軸支された歯付きプーリ５３と、読取出口ローラ２１の回転軸２１ａの他端部に設けられたプーリ２１ｃとには、タイミングベルト５５が掛け渡されており、入力ギア軸５４の回転駆動が、タイミングベルト５５を介して読取出口ローラ２１に伝達されるようになっている。
【００３１】
尚、本実施の形態では、入力ギア軸５４には入力ギア５２とこれと重なるように設けられた歯付きプーリ５３とで２段ギアプーリを構成している。また、これらの入力ギア５２及び歯付きプーリ５３はそれぞれが別体に設けられていても良いし、一体に設けられていても良い。
【００３２】
次に、上述した構成に基づき、本実施の形態の作用を説明する。図４（ａ）に示すように、出力ギア４３、４４、４５のうち、駆動モータ４０側の出力ギア４３が入力ギア５２と歯合しているときは、駆動モータ４０の駆動力は、この駆動モータ４０のモータギア４０ｂ及び入力ギア５２の両方に歯合している出力ギア４３を介して、入力ギア５２に伝達されて入力ギア５２の入力ギア軸５４が回転駆動する。
【００３３】
この入力ギア軸５４に伝達された駆動力は、入力ギア軸５４に軸支された歯付きプーリ５３、タイミングベルト５５を介して、読取出口ローラ２１の回転軸２１ａに伝達されると共に、この回転軸２１ａのプーリ２１ｂと読取入口ローラ１６の回転軸１６ａのプーリ１６ｂ間に掛け渡されたタイミングベルト２０を介して、読取入口ローラ１６の回転軸１６ａに伝達されて、読取入口ローラ１６及び読取出口ローラ２１が回転駆動する。
【００３４】
ここで、読取入口ローラ１６及び読取出口ローラ２１の回転速度を変更する際には、入力ギア５２と歯合するギアを出力ギア４４、４５の何れかに切り換えることにより行う。即ち、支持部材５１を、図５（ｂ）又は（ｃ）の何れかに回動させると共に、操作レバーを図６の矢印Ａ又はＢの何れかに倒すことにより、図４（ｂ）又は（ｃ）に示すように、入力ギア５２と歯合するギアが、出力ギア４４又は４５の何れかに切り替わって、ギア比を変えることにより、各ローラ１６、２１の回転速度を変更して、原稿の搬送速度を変更する。
【００３５】
以上、説明したように、本実施の形態によれば、互いに歯数の異なる複数の出力ギア４３、４４、４５を出力ギア軸４６上に直列に配置させているので、並列式の駆動ギア切換機構に比べてスペース上の制約が少ないため、歯数の異なる新たなギアを容易に追加することができる。この結果、モータの仕様を変更することなく、原稿の搬送速度の変速可能な範囲を容易に広げることができる。
【００３６】
また、出力ギア４３、４４、４５の切り換えを、自動原稿搬送装置１の外部から操作可能な操作レバー４９によって手動で行っているため、出力ギア４３、４４、４５を切り換えるための専用の動力源を設ける必要がなく、省スペース化及び製造コストの低減を図ることができる。
【００３７】
本発明は上述した実施の形態に限定されず、その要旨を逸脱しない範囲で種々の変形が可能である。例えば、上述の実施の形態では、出力ギア４３、４４、４５の切り換えを移動機構４７の操作レバー４９による手動で行っていたが、これに代えて、移動機構４７として、図８に示すように、出力ギア軸４６に連結された駆動源であるソレノイド５６を用いて、出力ギア軸４６を矢印Ｅに示す軸線方向に移動させるようにしても良い。尚、図８においては、上述の実施の形態と同様な構成要素には同一の符号を付することにより、その説明を簡略化する。
【００３８】
具体的には、ソレノイド５６は、自動原稿搬送装置１に設けられた制御部によりその駆動を制御されており、出力ギア４３、４４、４５の切り換えの際に、使用者が自動原稿搬送装置１操作部を操作すると、この操作信号を受けた制御部がソレノイド５６を駆動させることにより、出力ギア軸４６が軸線方向に移動し、出力ギア４３、４４、４５の切り換えを行う。この場合、出力ギア４３、４４、４５の切り換えを自動的に行うことができ、切り換えのための操作性を向上させることができる。尚、駆動源としては、上述のソレノイド５６に限定されず、例えば、モータ等であっても良い。
【００３９】
また、上記実施の形態では、支持部材５１は、モータ軸４０ａに回動自在に支持されていたが、これに代えて、支持部材５１の基端部を入力ギア軸５４に回転自在に支持させ、支持部材５１を入力ギア軸５４を中心に回動自在にするようにしても良い。このようにしても、上述の実施の形態と同様な作用効果を奏する。
【００４０】
更に、上記実施の形態では、出力ギア４３、４４、４５は、出力ギア軸４６に互いに間隔をあけて取り付けられていたが、これに代えて、出力ギア軸４３、４４、４５を互いに重ね合わせた状態で出力ギア軸４６に取り付けても良くい。要は、複数の出力ギアが単一の出力ギア軸４６に直列に配置されていれば良い。
【００４１】
また、上記実施の形態では、互いに別体の出力ギア４３、４４、４５を出力ギア軸４６に取り付けたが、これらの出力ギア４３、４４、４５を一体化したものを出力ギア軸４６に取り付けるようにしても良く、この場合であっても、同様な作用効果を奏する。
【図面の簡単な説明】
【００４２】
【図１】本発明の実施の形態に係る自動原稿搬送装置の概略的構成を示す断面図である。
【図２】本発明の自動原稿搬送装置における出力部及び入力部の概略的構成を示す正面図である。
【図３】図２の出力部及び入力部の平面図である。
【図４】本発明の自動原稿搬送装置における出力部の斜視図である。
【図５】本発明の自動原稿搬送装置における調整機構の正面図である。
【図６】本発明の自動原稿搬送装置における操作レバーの動作を説明する平面図である。
【図７】本発明の自動原稿搬送装置におけるギアボックスユニットを示す平面図である。
【図８】変形例に係る自動原稿搬送装置における移動機構を示す正面図である。
【図９】従来の自動原稿搬送装置における出力部及び入力部の概略的構成を示す正面図である。
【符号の説明】
【００４３】
１        自動原稿搬送装置
３        原稿テーブル（原稿載置部）
１６      読取入口ローラ（搬送ローラ）
２１      読取出口ローラ（搬送ローラ）
４０      駆動モータ（駆動部）
４１      出力部
４２      入力部
４３、４４、４５  出力ギア
４６      出力ギア軸
４７      移動機構
４８      調整機構
４９      操作レバー（操作部材）
４９ａ    支点
５０      ケース
５２      入力ギア
５４      入力ギア軸
５５      ソレノイド（駆動源）
Ｅ        読取り搬送部（搬送部）
【図１】
2008207959.tif 000003
【図２】
2008207959.tif 000004
【図３】
2008207959.tif 000005
【図４】
2008207959.tif 000006
【図５】
2008207959.tif 000007
【図６】
2008207959.tif 000008
【図７】
2008207959.tif 000009
【図８】
2008207959.tif 000010
【図９】
2008207959.tif 000011